(57)【要約】【課題】カメラのライブビュー画像を見ている感覚で、提供される画像情報を閲覧すること。【解決手段】電子機器１０は、外部機器から画像を取得する画像取得手段２２と、取得した画像に基づいて再生画像を表示する表示手段１５と、本体の姿勢を検出する姿勢検出手段２３と、姿勢検出手段２３で検出された姿勢の変化に応じて取得画像と異なる視野の画像を表示するように、画像取得手段２２および表示手段１５を制御する制御手段１６と、を備える。【選択図】図３
2013258540.tif 000002
【特許請求の範囲】
【請求項１】
外部機器から画像を取得する画像取得手段と、
前記取得した画像に基づいて再生画像を表示する表示手段と、
本体の姿勢を検出する姿勢検出手段と、
前記姿勢検出手段で検出された姿勢の変化に応じて前記取得画像と異なる視野の画像を表示するように、前記画像取得手段および前記表示手段を制御する制御手段と、
を備えることを特徴とする電子機器。
【請求項２】
請求項１に記載の電子機器において、
前記本体の移動を検出する移動検出手段をさらに備え、
前記制御手段はさらに、前記移動検出手段で検出された前記移動に応じて前記取得画像と異なる視点の画像を表示するように、前記画像取得手段および前記表示手段を制御することを特徴とする電子機器。
【請求項３】
請求項１または２に記載の電子機器において、
被写体像を撮像する撮像手段をさらに備え、
前記制御手段はさらに、前記表示手段に表示している画像に重ねて前記撮像手段で撮像された画像を合成表示するように、前記表示手段を制御することを特徴とする電子機器。
【請求項４】
請求項３に記載の電子機器において、
前記撮像手段は、前記被写体像を所定時間ごとに撮像し、
前記制御手段は、前記撮像手段で前記所定時間ごとに撮像された画像を用いて逐次合成表示するように、前記表示手段を制御することを特徴とする電子機器。
【請求項５】
請求項３または４に記載の電子機器において、
前記撮像手段で撮像された画像から所定の領域を抽出する抽出手段をさらに備え、
前記制御手段は、前記表示手段に表示している画像に重ねて前記抽出手段で抽出された領域の画像を合成表示するように、前記表示手段を制御することを特徴とする電子機器。
【請求項６】
請求項１〜５のいずれか一項に記載の電子機器において、
撮影を指示するための操作部材と、
前記操作部材からの信号に応じて、前記表示手段に表示している画像を記録媒体へ記録する記録手段と、をさらに備えることを特徴とする電子機器。
【発明の詳細な説明】
【技術分野】
【０００１】
本発明は、電子機器に関する。
【背景技術】
【０００２】
映像配信サーバから配信される映像の一部の領域を、ユーザーの指定によって再生領域として切り出し、ユーザーへ提示する映像に変形し、変形した映像を再生表示する技術が知られている（特許文献１参照）。ユーザーは、映像再生装置のキーボードやマウスなどのデバイスを操作することにより、配信された映像の中から切り出す領域を指定する。
【先行技術文献】
【特許文献】
【０００３】
【特許文献１】特開２００４−１０４５５６号公報
【発明の概要】
【発明が解決しようとする課題】
【０００４】
従来技術では、キーボードやマウスなどを有していない携帯型の電子機器への適用が困難であった。
【課題を解決するための手段】
【０００５】
本発明による電子機器は、外部機器から画像を取得する画像取得手段と、取得した画像に基づいて再生画像を表示する表示手段と、本体の姿勢を検出する姿勢検出手段と、姿勢検出手段で検出された姿勢の変化に応じて取得画像と異なる視野の画像を表示するように、画像取得手段および表示手段を制御する制御手段と、を備えることを特徴とする。
【発明の効果】
【０００６】
本発明による電子機器では、例えばカメラのライブビュー画像を見ている感覚で、画像情報を閲覧できる。
【図面の簡単な説明】
【０００７】
【図１】情報取得システムを例示する図である。
【図２】デジタルカメラによって画像を閲覧する場面を例示する図である。
【図３】デジタルカメラの要部構成を例示するブロック図である。
【図４】ＣＰＵが実行する制御処理の流れを説明するフローチャートである。
【図５】図５(a)は「合成モード」における液晶モニタの再生表示画面を説明する図、図５(b)は視野を右方へ移動させた場合を説明する図、図５(c)は視野を左方へ移動させた場合を説明する図、図５(d)は視野を上方へ移動させた場合を説明する図、図５(e)は視野を下方へ移動させた場合を説明する図である。
【図６】図６(a)は「非合成モード」における液晶モニタの再生表示画面を説明する図、図６(b)はズームアップさせた場合の再生表示画面を説明する図、図６(c)はズームダウンさせた場合の再生表示画面を説明する図である。
【発明を実施するための形態】
【０００８】
以下、図面を参照して本発明を実施するための形態について説明する。図１は、本発明の一実施形態によるデジタルカメラ１０を含めて構成した情報取得システムを例示する図である。情報取得システムは、情報提供者によって提供されている画像コンテンツを、デジタルカメラ１０の液晶モニタに表示させて閲覧するとともに、許可される場合には閲覧した画像コンテンツを保存する。
【０００９】
画像コンテンツは、例えば、所定の仰角から所定の俯角までをカバーする天地方向の広角画像を、３６０度の全方位にわたって取得するように構成したカメラを用いて地上を移動しながら撮影し、該画像データを撮影位置情報と関連付けて記録したものである。図１において、ネットワークに画像コンテンツサーバ１、無線ＬＡＮのアクセスポイント２、およびアクセスポイント３が、それぞれ接続されている。
【００１０】
画像コンテンツサーバ１は、情報提供者によってデータセンターなどに配置される。アクセスポイント２およびアクセスポイント３は、交通ターミナルや店舗等に設けられた無線アクセス端末や、ユーザー宅に設けられた無線アクセス端末に相当する。デジタルカメラ１０は、アクセスポイント２やアクセスポイント３との間で無線通信を行う通信機能を有しており、情報利用者（デジタルカメラ１０のユーザー）は、デジタルカメラ１０からアクセスポイント２またはアクセスポイント３を介して画像コンテンツサーバ１へアクセスする。
【００１１】
図２は、例えばユーザー宅においてデジタルカメラ１０によって観光地の画像情報を閲覧する場面を例示する図である。図２において、図示しない人物（Ｐとする）が、デジタルカメラ１０を操作している。部屋には、人物Ｐ以外の人物５がテーブル６のそばに立っている。部屋の天井にはアクセスポイント２が設けられている。デジタルカメラ１０は、アクセスポイント２を介してネットワークに接続されている。
【００１２】
＜画像情報を閲覧する＞
画像情報を閲覧するデジタルカメラ１０は、後述する「非合成モード」に設定される。人物Ｐ（不図示）は、デジタルカメラ１０の操作部材（例えば、液晶モニタ１５に設けられているタッチ操作部材）を操作して、画像コンテンツサーバ１において画像コンテンツが用意されている観光地（例えばエジプト・アラブ共和国のギザ）を指定する。指定操作は、地図から探したり、地名を入力して探したり、検索ワード（例えばピラミッド）を入力したりすることによって行うように構成されている。地名や検索ワードを入力する場合は、図示しないマイクから音声で入力してもよい。
【００１３】
上述した指定操作によって観光地（本例ではギザ）の位置情報が画像コンテンツサーバ１へ送られると、画像コンテンツサーバ１は、図示しないデータベースに格納されている画像データのうち、撮影位置が当該位置情報に該当する画像データをデジタルカメラ１０へ提供する。画像データは、上述したように全方位カメラで取得した天地方向の広角画像である。画像コンテンツサーバ１は、最初に提供する画像として、当地の代表画像（本例ではピラミッドを所定方向（方角）から所定の仰角（または俯角）で撮影した画像）をデジタルカメラ１０へ提供する。
【００１４】
デジタルカメラ１０は、画像コンテンツサーバ１から提供された画像（ピラミッド）を液晶モニタ１５に再生表示する（図２）。人物Ｐ（不図示）がシャッターボタン２０ｓを押下操作した場合、デジタルカメラ１０は、液晶モニタ１５に表示している画像のデータを保存する。
【００１５】
＜カメラで撮像した画像と閲覧画像とを合成する＞
撮像した画像を閲覧画像と合成するデジタルカメラ１０は、後述する「合成モード」に設定される。人物Ｐ（不図示）がデジタルカメラ１０の撮影レンズを人物５に向けると、デジタルカメラ１０は、人物５、テーブル６および背景の壁を含むライブビュー画像を取得した上で、該ライブビュー画像の中から人物５の領域を抽出する。
【００１６】
デジタルカメラ１０はさらに、図２に例示するように、抽出した人物５の画像を画像コンテンツサーバ１から提供されている画像（本例ではピラミッド）に重ねて液晶モニタ１５に表示する。人物Ｐ（不図示）がシャッターボタン２０ｓを押下操作した場合、デジタルカメラ１０は、液晶モニタ１５に表示している画像のデータを保存する。
【００１７】
本実施形態は、上述したデジタルカメラ１０を用いて、あたかも現地へ出かけて撮影しているような感覚で、仮想撮影画像を閲覧または取得する点に特徴を有するので、以降の説明はこの点を中心に行う。図３は、デジタルカメラ１０の要部構成を例示するブロック図である。
【００１８】
図３において、撮像光学系１１は、撮像素子１２の撮像面に被写体像を結像させる。ＣＰＵ１６は、シャッターボタン２０ｓ（図２）の半押し操作に連動して半押しスイッチ２０ａがオンすると、オートフォーカス（ＡＦ）処理を行わせて、撮像光学系１１を構成するフォーカシングレンズ（不図示）を光軸方向（図３において矢印方向）に進退移動させる。これにより、撮像光学系１１の焦点位置が自動調節される。フォーカシングレンズ（不図示）の駆動は、ＣＰＵ１６から指示を受けたレンズ駆動部２１が行う。
【００１９】
撮像素子１２は、ＣＭＯＳイメージセンサなどによって構成される。撮像素子１２は、撮像面上に結像された被写体像を撮像する。撮像素子１２から出力された撮像信号は、Ａ／Ｄ変換部１３においてアナログ信号からデジタル信号に変換される。画像処理部１４は、デジタル画像信号に対して所定の画像処理を行う。
【００２０】
液晶モニタ１５は、ＣＰＵ１６からの指示に応じて、画像や操作アイコン、操作メニューなどを表示する。液晶モニタ１５の表示面には、タッチ操作部材１５ａが積層されている。タッチ操作部材１５ａは、表示画面上のタッチ位置を示す操作信号をＣＰＵ１６へ送出する。これにより、デジタルカメラ１０に対する操作をタッチ操作で行える。
【００２１】
通信回路２２は、ＣＰＵ１６からの指示に応じて、アンテナ２２ａを介してアクセスポイント２（図２）との間で無線通信を行う。フラッシュメモリ１７は、ＣＰＵ１６が実行するプログラムや、実行処理に必要なデータなどを格納する。フラッシュメモリ１７が格納するプログラムやデータの内容は、ＣＰＵ１６からの指示によって追加、変更が可能に構成されている。
【００２２】
ＣＰＵ１６は、例えばバッファメモリ１８を作業領域として制御プログラムを実行し、カメラ各部に対する種々の制御を行う。画像処理部１４は、デジタル画像信号に対する画像処理以外に、画像信号を格納した所定形式の画像ファイル（静止画像、または動画像）を生成する。記録再生部１９は、ＣＰＵ１６からの指示に基づいて画像ファイルをメモリカード５０に記録（保存）し、また、メモリカード５０に記録（保存）されている画像ファイルを読み出す。
【００２３】
メモリカード５０は、図示しないカードスロットに着脱自在に取り付けられる記録媒体である。ＣＰＵ１６は、記録再生部１９によってメモリカード５０から読み出された画像ファイルに基づいて、液晶モニタ１５に画像を再生表示させる。
【００２４】
操作部材２０は、半押しスイッチ２０ａ、シャッターボタン２０ｓの全押し操作に伴ってオンする全押しスイッチ２０ｂ、およびモード切替えスイッチなどを含み、各部材の操作に伴う操作信号をＣＰＵ１６へ送出する。
【００２５】
半押しスイッチ２０ａからのオン信号（半押し操作信号）は、シャッターボタン２０ｓが通常ストロークの半分程度まで押し下げ操作されると出力され、半ストロークの押し下げ操作解除で出力が解除される。全押しスイッチ２０ｂからのオン信号（全押し操作信号）は、シャッターボタン２０ｓが通常ストロークまで押し下げ操作されると出力され、通常ストロークの押し下げ操作が解除されると出力が解除される。
【００２６】
姿勢センサ２３は、例えば重力方向を検出し、検出信号をＣＰＵ１６へ送出する。姿勢センサ２３が重力を検出する方向は、デジタルカメラ１０の向きに応じて異なるので、ＣＰＵ１６は、姿勢センサ２３の検出信号に基づいてデジタルカメラ１０の姿勢を判定する。判定姿勢は、例えば撮像光学系１１を上方へ向けた場合（ティルトアップ）、下方へ向けた（ティルトダウン）場合、右方へ向けた（右パン）場合、左方へ向けた（左パン）場合である。このため、姿勢センサ２３による検出信号を姿勢検出信号と呼ぶ。
【００２７】
＜姿勢検出信号に基づく表示制御＞
ＣＰＵ１６は、姿勢検出信号に基づいて、以下のように液晶モニタ１５による表示を制御する。図４は、ＣＰＵ１６が実行する制御処理の流れを説明するフローチャートである。ＣＰＵ１６は、操作部材２０を構成するモード切替えスイッチが操作され、画像コンテンツサーバ１からの情報提供を受ける「合成モード」または「非合成モード」に設定されると、図４による処理を行うプログラムを起動する。
【００２８】
図４のステップＳ１１において、ＣＰＵ１６は、表示場所（本例では観光地）の指定操作を受け付けてステップＳ１２へ進む。ステップＳ１２において、ＣＰＵ１６は、画像コンテンツサーバ１から提供された上記観光地の画像データを入手してステップＳ１３へ進む。ステップＳ１３において、ＣＰＵ１６は、入手した画像データに基づく画像（本例ではピラミッド）を液晶モニタ１５に再生表示させてステップＳ１４へ進む。
【００２９】
ステップＳ１４において、ＣＰＵ１６は「合成モード」か「非合成モード」かを判定する。ＣＰＵ１６は、「合成モード」に設定されている場合にステップＳ１４を肯定判定してステップＳ１５へ進み、「合成モード」に設定されていない場合にステップＳ１４を否定判定してステップＳ１８へ進む。
【００３０】
「合成モード」の場合のＣＰＵ１６は、ステップＳ１５においてライブビュー撮像を開始させる。具体的には、撮像素子１２によって所定時間間隔（例えば毎秒３０フレーム）で撮像を繰り返し行う指示を出し、ステップＳ１６へ進む。ステップＳ１６において、ＣＰＵ１６は、ライブビュー画像の各フレームから人物領域を逐次抽出してステップＳ１７へ進む。抽出処理は、例えば公知の顔検出処理によって人物の顔を検出し、この顔を含む領域であって、画像の空間周波数が所定値以上となる領域を抽出する。
【００３１】
ステップＳ１７において、ＣＰＵ１６は、人物領域が抽出されるたびに、再生表示中の画像の上から抽出した人物の画像を重ねるように合成し、合成画像を液晶モニタ１５に逐次表示させてステップＳ１８へ進む。人物を重ねる位置は、撮像素子１２で撮像されたライブビュー画像における人物の位置に対応させる。
【００３２】
「合成モード」の場合は、上述したライブビュー撮像および画像合成をしながらステップＳ１８からステップＳ２７までの処理を行う。一方、「非合成モード」の場合は、ライブビュー撮像および画像合成をしないでステップＳ１８からステップＳ２７までの処理を行う。
【００３３】
ステップＳ１８において、ＣＰＵ１６はティルト検出したか否かを判定する。ＣＰＵ１６は、姿勢センサ５からの姿勢検出信号に基づいて、傾斜角度が所定値を超えるティルトアップまたはティルトダウンを検出した場合に、ステップＳ１８を肯定判定してステップＳ１９へ進む。ＣＰＵ１６は、傾斜角度が所定値を超えるティルトアップもティルトダウンも検出しない場合には、ステップＳ１８を否定判定してステップＳ２０へ進む。
【００３４】
ステップＳ１９において、ＣＰＵ１６は、液晶モニタ１５に再生表示する画像の視野を上下に移動させる。具体的には、ティルトアップを検出したＣＰＵ１６は、液晶モニタ１５に再生表示中の画像より視野を上方へ移動させた画像データを画像コンテンツサーバ１から入手し、入手した画像データに基づく画像を液晶モニタ１５に再生表示させる。上述したように、画像コンテンツサーバ１は天地方向の広角画像を有している。
【００３５】
図５(a)は、「合成モード」における液晶モニタ１５の再生表示画面を説明する図であり、視野を移動させる前の画面を例示する。図５(a)によれば、ピラミッドの画像に重ねて人物が合成されている。合成された人物は、図２に例示した部屋でデジタルカメラ１０によって取得されたライブビュー画像から抽出された人物５に相当する。
【００３６】
図５(d)は、「合成モード」において視野を上方へ移動させた場合の液晶モニタ１５の再生表示画面を説明する図である。図５(a)の場合に比べて、ピラミッドの上部が表示されている。人物を重ね合成する位置は、上述したように撮像素子１２で撮像されたライブビュー画像における人物の位置に対応させるので、ティルトアップにともなって相対的に画面の下部へ移動する。これにより、図示しない人物Ｐは、図２の部屋内に居ながらにして、あたかも観光地へ行ってピラミッドのライブビュー画像を見ている感覚で、ピラミッドと人物５の合成画像を観察できる。なお、ティルトアップを検出した場合の視野の移動量は、適宜調節してよい。
【００３７】
一方、ティルトダウンを検出したＣＰＵ１６は、液晶モニタ１５に再生表示中の画像より視野を下方へ移動させた画像データを画像コンテンツサーバ１から入手し、入手した画像データに基づく画像を液晶モニタ１５に再生表示させて、ステップＳ２０へ進む。図５(e)は、「合成モード」において視野を下方へ移動させた場合の液晶モニタ１５の再生表示画面を説明する図である。図５(a)の場合に比べて、ピラミッドの下部が表示されている。人物を重ね合成する位置は、上述したように撮像素子１２で撮像されたライブビュー画像における人物の位置に対応させるので、ティルトダウンにともなって相対的に画面の上部へ移動する。
【００３８】
ステップＳ２０において、ＣＰＵ１６はパンニングを検出したか否かを判定する。ＣＰＵ１６は、姿勢センサ５からの姿勢検出信号に基づいて、パンニング角度が所定値を超える右パンまたは左パンを検出した場合に、ステップＳ２０を肯定判定してステップＳ２１へ進む。ＣＰＵ１６は、パンニング角度が所定値を超える右パンも左パンも検出しない場合には、ステップＳ２０を否定判定してステップＳ２２へ進む。
【００３９】
ステップＳ２１において、ＣＰＵ１６は、液晶モニタ１５に再生表示する画像の視野を左右に移動させる。具体的には、右パンを検出したＣＰＵ１６は、液晶モニタ１５に再生表示中の画像より視野を右方へ移動させた画像データを画像コンテンツサーバ１から入手し、入手した画像データに基づく画像を液晶モニタ１５に再生表示させる。上述したように、画像コンテンツサーバ１は３６０度の全方位画像を有している。
【００４０】
図５(b)は、「合成モード」において視野を右方へ移動させた場合の液晶モニタ１５の再生表示画面を説明する図である。図５(a)の場合に比べて、ピラミッドの右方が表示されている。人物を重ね合成する位置は、上述したように撮像素子１２で撮像されたライブビュー画像における人物の位置に対応させるので、右パンにともなって相対的に画面の左部へ移動する。これにより、図示しない人物Ｐは、図２の部屋内に居ながらにして、あたかも観光地へ行ってピラミッドのライブビュー画像を見ている感覚で、ピラミッドと人物５の合成画像を観察できる。なお、右パンを検出した場合の視野の移動量は、適宜調節してよい。
【００４１】
一方、左パンを検出したＣＰＵ１６は、液晶モニタ１５に再生表示中の画像より視野を左方へ移動させた画像データを画像コンテンツサーバ１から入手し、入手した画像データに基づく画像を液晶モニタ１５に再生表示させて、ステップＳ２２へ進む。図５(c)は、「合成モード」において視野を左方へ移動させた場合の液晶モニタ１５の再生表示画面を説明する図である。図５(a)の場合に比べて、ピラミッドの左方が表示されている。人物を重ね合成する位置は、上述したように撮像素子１２で撮像されたライブビュー画像における人物の位置に対応させるので、左パンにともなって相対的に画面の右部へ移動する。
【００４２】
ステップＳ２２において、ＣＰＵ１６はズーム操作されたか否かを判定する。ＣＰＵ１６は、操作部材２０を構成するズームスイッチ（２０ｗ、２０ｔ）からの操作信号が入力された場合に、ステップＳ２２を肯定判定してステップＳ２３へ進む。ＣＰＵ１６は、ズーム操作信号を検出しない場合には、ステップＳ２２を否定判定してステップＳ２４へ進む。
【００４３】
ステップＳ２３において、ＣＰＵ１６は、液晶モニタ１５に再生表示中の画像に対して、いわゆる電子ズーム処理を施してステップＳ２４へ進む。図６(a)は、「非合成モード」における液晶モニタ１５の再生表示画面を説明する図であり、電子ズーム処理前の画面を例示する。図６(a)によれば、図２の部屋内に居ながらにして、あたかも観光地へ行ってピラミッドのライブビュー画像を見ている感覚で、ピラミッドの画像を閲覧できる。
【００４４】
図６(b)は、「非合成モード」においてズームスイッチがテレ側（２０ｔ）へ操作されたことに応じてズームアップさせた場合の液晶モニタ１５の再生表示画面を説明する図である。図６(a)の場合に比べて、ピラミッドが拡大表示されている。図６(c)は、「非合成モード」においてズームスイッチがワイド側（２０ｗ）へ操作されたことに応じてズームダウンさせた場合の液晶モニタ１５の再生表示画面を説明する図である。図６(a)の場合に比べて、ピラミッドが縮小表示されている。これにより、図２の部屋内に居ながらにして、あたかも観光地へ行ってピラミッドのライブビュー画像を見ている感覚で、ピラミッドの画像のズームアップおよびズームダウンをさせることができる。
【００４５】
ステップＳ２４において、ＣＰＵ１６は移動を検出したか否かを判定する。ＣＰＵ１６は、例えば、アクセスポイント２からの信号に含められている位置情報や、姿勢センサ２３からの姿勢検出信号に含まれる加速度情報に基づいてデジタルカメラ１０の相対的な移動量を所定時間ごとに算出する。ＣＰＵ１６は、相対的な移動量の大きさが所定値（例えば５ｍ）を超えた場合にステップＳ２４を肯定判定してステップＳ２５へ進む。ＣＰＵ１６は、相対的な移動量の大きさが所定値（例えば５ｍ）を超えない場合には、ステップＳ２４を否定判定してステップＳ２６へ進む。
【００４６】
相対的な移動量は、現位置からの変位に所定の係数Ｋを乗算して求める。例えば、部屋の中では人物Ｐの移動範囲が限られる。そこで、実際にピラミッドの周囲を移動した場合の画像を観察し得るように、係数Ｋを適宜変更可能に構成しておく。これにより、例えばＫ＝１００とする場合には、実際に１ｍ移動するだけでありながら、１００ｍ移動した場合と同様の移動量が算出される。このように、係数Ｋの値を変化させることで、室内における短い移動距離を、屋外における長い移動距離に対応させることができる。
【００４７】
ステップＳ２５において、ＣＰＵ１６は、液晶モニタ１５に再生表示する画像の視点を移動させる。ＣＰＵ１６は、画像コンテンツサーバ１から前回提供された画像データに対し、上記算出した移動量だけ離れた位置で撮影された画像データを入手し、該入手した画像データに基づく画像を液晶モニタ１５に再生表示させてステップＳ２６へ進む。これにより、図２に例示した部屋でデジタルカメラ１０を構えて移動すると、異なる地点から撮影したピラミッドの画像を液晶モニタ１５で閲覧できる。
【００４８】
ステップＳ２６において、ＣＰＵ１６はシャッターボタン２０ｓが押下されたか否かを判定する。ＣＰＵ１６は、全押しスイッチ２０ｂからの操作信号が入力された場合に、ステップＳ２６を肯定判定してステップＳ２７へ進む。ＣＰＵ１６は、全押しスイッチ２０ｂからの操作信号が入力されない場合には、ステップＳ２６を否定判定してステップＳ２８へ進む。
【００４９】
ステップＳ２７において、ＣＰＵ１６は記録再生部１９へ指示を送り、液晶モニタ１５に表示中の画像データを格納した画像ファイルをメモリカード５０に記録（保存）させて、ステップＳ２８へ進む。
【００５０】
ステップＳ２８において、ＣＰＵ１６は、終了操作が行われたか否かを判定する。ＣＰＵ１６は、画像コンテンツサーバ１からの情報提供を受ける「合成モード」、「非合成モード」がいずれも解除された場合にステップＳ２８を肯定判定し、図４による処理を終了する。ＣＰＵ１６は、「合成モード」または「非合成モード」に設定されている場合は、ステップＳ２８を否定判定してステップＳ１１へ戻る。ステップＳ１１へ戻る場合は、上述した処理を繰り返す。
【００５１】
以上説明した実施形態によれば、次の作用効果が得られる。
（１）デジタルカメラ１０は、画像コンテンツサーバ１から画像を取得する通信回路２２と、取得した画像に基づいて再生画像を表示する液晶モニタ１５と、デジタルカメラ１０本体の姿勢を検出する姿勢センサ２３と、姿勢センサ２３で検出された姿勢の変化に応じて取得画像と異なる視野の画像を表示するように、通信回路１５および液晶モニタ１５を制御するＣＰＵ１６と、を備えるので、例えばカメラのライブビュー画像を見ている感覚で、画像コンテンツサーバ１から提供される画像を閲覧できる。
【００５２】
（２）上記（１）のデジタルカメラ１０において、デジタルカメラ１０本体の移動を検出する姿勢センサ２３、ＣＰＵ１６をさらに備え、ＣＰＵ１６はさらに、姿勢センサ２３、ＣＰＵ１６で検出された移動に応じて取得画像と異なる視点の画像を表示するように、通信回路１５および液晶モニタ１５を制御するようにしたので、例えばカメラのライブビュー画像を見ている感覚で、画像コンテンツサーバ１から提供される画像を閲覧できる。
【００５３】
（３）上記（１）、（２）のデジタルカメラ１０において、人物５の像を撮像する撮像素子１２をさらに備え、ＣＰＵ１６はさらに、液晶モニタ１５に表示している画像に重ねて撮像素子１２で撮像された人物５の画像を合成表示するように、液晶モニタ１５を制御するようにしたので、例えばカメラのライブビュー画像を見ている感覚で、画像コンテンツサーバ１から提供される画像と人物５の合成画像を観察できる。
【００５４】
（４）上記（３）のデジタルカメラ１０において、撮像素子１２は、人物５の像を所定時間ごとに撮像し、ＣＰＵ１６は、撮像素子１２で所定時間ごとに撮像された人物５の像を用いて逐次合成表示するように、液晶モニタ１５を制御するようにしたので、カメラのライブビュー画像を見ている感覚で、画像コンテンツサーバ１から提供される画像と人物５の合成画像を観察できる。
【００５５】
（５）上記（３）、（４）のデジタルカメラ１０において、撮像素子１２で撮像された画像から所定の人物領域を抽出するＣＰＵ１６をさらに備え、ＣＰＵ１６は、液晶モニタ１５に表示している画像に重ねてＣＰＵ１６で抽出された人物領域の画像を合成表示するように、液晶モニタ１５を制御するようにしたので、画像コンテンツサーバ１から提供される画像の撮影地に人物５がいるかのような合成画像を観察できる。
【００５６】
（６）上記（１）〜（５）のデジタルカメラ１０において、撮影を指示するためのシャッターボタン２０ｓと、シャッターボタン２０ｓ（全押しスイッチ２０ｂ）からの信号に応じて、液晶モニタ１５に表示している画像をメモリカード５０へ記録する記録再生部１９と、をさらに備えるので、あたかも画像コンテンツサーバ１から提供される画像の撮影地へ出かけて撮影しているような感覚で、液晶モニタ１５に表示中の画像を保存できる。
【００５７】
（変形例１）
上述した説明では、画像コンテンツサーバ１から観光地の画像情報を提供する場面を説明した。屋外の史跡や名勝の他、テーマパークなどが該当する。これに加えて、観光地でなくても空港や港湾施設、駅などの案内用の画像情報を提供するようにしてもよい。いずれの場合も、カメラのライブビュー画像を見ている感覚で、画像情報を閲覧できる。
【００５８】
（変形例２）
また、屋外の画像情報だけでなく屋内の画像情報を画像コンテンツサーバ１から提供するようにしてもよい。例えば、博物館の展示フロアを案内する画像情報であって、所定の仰角から所定の俯角までをカバーする天地方向の広角画像を、３６０度の全方位にわたって取得するように構成したカメラを用いて、例えば館内の順路に沿って移動しながら撮影し、該画像データをフロア内の撮影位置情報と関連付けて記録したものである。変形例２の場合も、カメラのライブビュー画像を見ている感覚で、画像情報を閲覧できる。
【００５９】
なお、建物内で異なる階の画像情報を閲覧したい場合は、液晶モニタ１５に上り階段の画像が表示された状態でその方向へ移動すれば上階のフロアの画像情報を入手して液晶モニタ１５へ表示し、液晶モニタ１５に下り階段の画像が表示された状態でその方向へ移動すれば下階のフロアの画像情報を入手して液晶モニタ１５へ表示させる。また、図示しないマイクから音声で希望階を入力することによって、異なる階の画像情報を画像コンテンツサーバ１から入手して液晶モニタ１５に表示させてもよい。
【００６０】
（変形例３）
画像コンテンツサーバ１から画像情報とともに音声情報が提供される場合には、液晶モニタ１５に提供された画像を表示するとともに、提供された音声をデジタルカメラ１０の図示しないスピーカから再生したり、外部のヘッドフォンなどへ向けて音声信号を出力するようにしてもよい。
【００６１】
（変形例４）
上述した説明では、シャッターボタン２０ｓの押下操作に応じて液晶モニタ１５に表示している画像のデータを保存するようにした。このような静止画像データの保存に加えて、動画像のデータとして保存するようにしてもよい。
【００６２】
変形例４では、「動画合成モード」を新たに設ける。「動画合成モード」に設定されたＣＰＵ１６は、液晶モニタ１５に表示している画像のデータを所定時間間隔（例えば毎秒３０フレーム）で記録することで、動画像ファイルとして保存する。上述したように、デジタルカメラ１０は本体のティルト検出やパン検出をすると再生画像の視野を移動させ、本体の移動を検出すると再生画像の視点を移動させるので、このような視野、視点移動を伴う画像を複数フレームにわたって記録することにより、擬似的な動画像が得られる。なお、動画像として記録する際は、画像コンテンツサーバ１から画像情報とともに提供されている音声情報を動画像に関連付けて記録するとよい。
【００６３】
（変形例５）
以上の説明では、電子機器としてデジタルカメラ１０を用いる例を説明したが、多機能携帯電話機やタブレット型コンピュータを用いて構成してもよい。
【００６４】
以上の説明はあくまで一例であり、上記の実施形態の構成に何ら限定されるものではない。
【符号の説明】
【００６５】
１…画像コンテンツサーバ
２、３…アクセスポイント
５…人物
１０…デジタルカメラ
１１…撮像光学系
１２…撮像素子
１５…液晶モニタ
１６…ＣＰＵ
１９…記録再生部
２０…操作部材
２２…通信回路
２３…姿勢センサ
５０…メモリカード
【図１】
2013258540.tif 000003
【図２】
2013258540.tif 000004
【図３】
2013258540.tif 000005
【図４】
2013258540.tif 000006
【図５】
2013258540.tif 000007
【図６】
2013258540.tif 000008